(57)【要約】【課題】リモコン装置から発光光線が発射されたことを確認できるリモコン受光装置を提供する。【解決手段】リモートコントロール装置の発光部より発射されるキャリアを受光し、このキャリアを電気信号に変換する光電変換手段と、光電変換手段により出力される電気信号から所定の信号を選択的に抽出し、出力する抽出手段とを備る。【選択図】        図１
2004274364.tif 000002
【特許請求の範囲】
【請求項１】
リモートコントロール装置の発光部より発射されるキャリアを受光し、このキャリアを電気信号に変換する光電変換手段と、
前記光電変換手段により出力される前記電気信号から所定の信号を選択的に抽出し、出力する抽出手段と、
を備えたことを特徴とするリモコン受光装置。
【請求項２】
請求項１に記載のリモコン受光装置において、
前記抽出手段から出力された前記信号の有無に基づいて、前記キャリアの受光の有無を表示する表示手段をさらに備えたことを特徴とするリモコン受光装置。
【請求項３】
請求項１ないし２に記載のリモコン受光装置において、
前記抽出手段は、前記電気信号から所定の周波数帯域の信号を抽出することを特徴とするリモコン受光装置。
【請求項４】
請求項１ないし２に記載のリモコン受光装置において、
前記抽出手段は、前記電気信号から所定範囲の周波数帯域の信号を抽出することを特徴とするリモコン受光装置。
【発明の詳細な説明】
【０００１】
【発明の属する技術分野】
本発明は、民生用各種装置の光リモートコントロール装置（以下、リモコン装置という）のリモコン受光装置の付属機能に関する。
【０００２】
【従来の技術】
現在、一般家庭にはＡＶ（Ａｕｄｉｏ−Ｖｉｓｕａｌ）機器、エアコン、照明等の各種機器において、それら各種機器の遠隔操作を行うために、リモコン装置が用いられる。例えば、操作者がリモコン装置を操作することにより、この操作に対応した指示コードを示すキャリア、例えば赤外光線がリモコン装置から被操作装置の検出器に向けて発射され、遠隔操作される。
【０００３】
従来のリモコン装置１０およびリモコン受光装置２０を、図４を参照して説明する。
リモコン装置１０は、発光部１０−１、制御部１０−２、操作部１０−３を備え、リモコン受光装置２０に、操作に基づいたリモコン信号を発射する。発光部１０−１は、赤外光線によるリモコン信号を発射する。操作部１０−３は、操作をおこなう各種キーにより構成される。制御部１０−２は、操作部１０−３の操作内容に対応した操作情報に基づいて、発光部１０−１の制御を行う。
【０００４】
リモコン受光装置２０は、光電変換部２０−１、キャリア判別部２０−２、駆動部２０−３を備え、被操作装置３０に内蔵されている。また、被操作装置３０にはデコーダ３０−１は配置されている。リモコン受光装置２０は、リモコン装置１０からのリモコン信号に基づいて、被操作装置３０を操作する。
光電変換部２０−１はリモコン装置１０から赤外光線を受光し、受光した赤外光線を電気信号に変換する。通常、リモコン装置１０から発射される赤外光線は所定の周波数ｆ０の光の発光と停止の繰り返しである。この周波数ｆ０の光の発光と停止の繰り返しをキャリアと呼ぶ。
【０００５】
キャリア判別部２０−２は光電変換部２０−１により出力された電気信号から所定のキャリア周波数帯域の信号を選択的に抽出する。駆動部２０−３は、キャリア判別部２０−２から入力された所定の周波数帯域の信号の包絡線検波を行い、例えば、図５に示すように、キャリア周波数ｆ０の入射光が検出された場合を−Ｖｃｃに、検出されない場合を０Ｖに対応させる。この２値信号は、デコーダ３０−１に入力される。
デコーダ３０−１では、駆動部２０−３により入力された２値信号を解読する。このデコーダ３０−１により解読されたデコード結果に基づいて被操作装置３０は操作される。
【０００６】
光電変換部２０−１から入力される電気信号で、キャリア判別部２０−２により選択的に抽出されるキャリア周波数には各種の値が存在し、抽出される周波数帯域は、その装置の採用しているコード方式により決まる。例えば、図６に示すように、光電変換部２０−１から入力される電気信号には、その装置の採用しているコード方式により、キャリア周波数がｆ０１、ｆ０２、ｆ０３、ｆ０４と、その帯域が異なる。
【０００７】
また、リモコン装置１０は、予め決められた１つのキャリア周波数を用いて、リモコン信号を送る。しかし、送信された信号には、蛍光灯照明の混入などの外来妨害のためノイズ成分が含まれる。そこで、キャリア判別部２０−２では、バンドパスフィルタ（ＢＰＦ）を用いて、その装置の採用しているコード方式に対応した１種類の周波数帯域の信号を選択する。
このリモコン装置１０の電源としては、乾電池が利用されるため、乾電池の消耗により、定期的に動作が停止する。この動作の停止は、リモコンを操作だけでは、赤外光線は目視できないため判断できない。
【０００８】
このため、リモコン装置１０の一部の品種において、乾電池の消耗を目視できるような工夫、例えば、可視光ＬＥＤ（Ｌｉｇｈｔ  ｅｍｉｔｔｉｎｇ  ｄｉｏｄｅ）を赤外ＬＥＤとは別に設けたり、液晶表示装置を配置しアラームを出す等の工夫をしたものがある（例えば、特許文献１、特許文献２、特許文献３）。
しかし、コストの観点からそのようなものは省略され、ほとんどの場合リモコン装置単独では発光の確認ができないものとなっている。
このように、単独では乾電池の消耗を目視確認できない。従来のリモコン装置１０では、その被操作装置３０に対して操作を行い、被操作装置３０を操作できたか否かにより、その電源である乾電池の消耗の判断を行う必要があった。
【０００９】
【特許文献１】
特開平９−４４９２７号公報
【特許文献２】
特開平５−２６０３３８号公報
【特許文献３】
実開平６−４１２９５号公報
【００１０】
【発明が解決しようとする課題】
しかしながら操作者は、操作不能により乾電池が消耗していると判断し、乾電池を新品に交換することになるが、乾電池を新品に交換しても操作ができない場合には、乾電池の消耗とは別な原因、例えば、被操作装置の受光部を遮る障害物や、被操作装置の受光部への入射角度の問題、被操作装置側に原因があると考えられ、このような場合には、乾電池の交換が無駄であるばかりか、原因の特定が困難であった。
【００１１】
そこで、本発明は、上述した従来技術の問題点や課題を解決するためになされたものであり、その目的は、リモコン装置から発光光線が発射されたことを確認できるリモコン受光装置を提供することである。
【００１２】
【課題を解決するための手段】
上述した目的を達成するために、本発明にかかるリモコン受光装置は、リモートコントロール装置の発光部より発射されるキャリアを受光し、このキャリアを電気信号に変換する光電変換手段と、光電変換手段により出力される電気信号から所定の信号を選択的に抽出し、出力する抽出手段とを備えたものである。
このようにすることにより、抽出手段からの出力信号に基づいて、キャリア受信の判断を行う。
【００１３】
さらに、抽出手段から出力された信号の有無に基づいて、キャリアの受光の有無を表示する表示手段をさらに備えるようにしてもよい。
このようにすることにより、表示手段は、リモコン装置からのキャリアの発射の有無を表示する。
【００１４】
さらに、抽出手段は、電気信号から所定の周波数帯域の信号を抽出するようにしてもよい。
このようにすることにより、リモコン受光装置は、リモコン装置の採用しているコード方式に応じて、リモコン装置からキャリアの発射の有無を表示する。
【００１５】
さらに、抽出手段は、電気信号から所定範囲の周波数帯域の信号を抽出するようにしたものである。
このようにすることにより、リモコン受光装置は、複数のリモコン装置の採用しているそれぞれのコード方式に対応し、リモコン装置からキャリアの発射の有無を表示する。
【００１６】
【発明の実施の形態】
次に、本発明の実施の形態について図面を参照して説明する。
なお、実施の形態を説明するための全図において、同一機能を有するものは同一符号を用い、繰り返しの説明は省略する。
【００１７】
実施の形態にかかるリモコン受光装置を、図１を参照して説明する。実施の形態において、リモコン受光装置２は、被操作装置３０に内蔵された装置である。また、図１においてリモコン装置１は、上述した従来のリモコン装置１０と同様である。
この実施の形態にかかるリモコン受光装置２は、光電変換部２−１、抽出部２−２、第１駆動部２−３、表示部２−４、キャリア判別部２−５、第２駆動部２−６を備え、第２駆動部２−６は、被操作装置３０のデコーダ３０−１に接続されている。
【００１８】
光電変換部２−１はリモコン装置１からのキャリア、例えば赤外光線を受光し、受光した赤外光線を電気信号に変換する。
抽出部２−２は光電変換部２−１により出力された電気信号から所定のキャリア周波数帯域の信号を選択的に抽出する。例えば、図２に示すように、光電変換部２−１からの出力として、図６に示したような周波数ｆ０１、ｆ０２、ｆ０３、ｆ０４の４種類の周波数帯域の電気信号全てを包含する広帯域のＢＰＦを用いることにより、キャリア周波数ｆ０１、ｆ０２、ｆ０３、ｆ０４の４種類の周波数帯域の信号を抽出する。また、外来ノイズによる誤動作が許容されるならば、キャリア周波数ｆ０１、ｆ０２、ｆ０３、ｆ０４等の周波数選択特性のないものにしてもよい。
【００１９】
表示部２−４は、抽出部２−２により抽出される信号の有無に応じて表示を行う。例えば、ＬＥＤ（Ｌｉｇｈｔ  Ｅｍｉｔｔｉｎｇ  Ｄｉｏｄｅ）により構成し、その点灯の有無により表示する。
第１駆動部２−３は、抽出部２−２により抽出された所定のキャリア周波数の信号に基づき、ＬＥＤを点灯／消灯させる。したがって、リモコン装置１からの信号光を受光すればＬＥＤが点灯する。
【００２０】
キャリア判別部２−５は、光電変換部２−１により出力された電気信号から所定のキャリア周波数帯域の信号を選択的に抽出する。第２駆動部２−６は、キャリア判別部２−５により抽出された信号を包絡線検波し、包絡線検波された信号を２値化する。デコーダ３０−１は、駆動部２−６によりにより２値化された信号を解読する。このデコーダ３０−１により解読されたデコード結果に基づいて被操作装置３０の操作が行われる。
【００２１】
上述したように、抽出部２−２を設け、光電変換部２−１により出力された電気信号から所定のキャリア周波数帯域の信号を選択的に抽出できるようにしたことにより、抽出される信号の有無に応じて、表示部２−４のＬＥＤを点灯／消灯させることができ、リモコン装置１からのキャリアの受光の有無の確認ができる。このため、操作者は、リモコン装置１を操作した場合に、何らかの信号が発射されていることを、ＬＥＤの点灯の有無により確認することができ、乾電池の消耗とは別な原因、例えば、被操作装置３０の受光部を遮る障害物や、被操作装置３０の受光部への入射角度の問題、被操作装置３０側に原因がある場合の特定ができる。
【００２２】
また、抽出部２−２を広帯域のＢＰＦにより構成することにより、周波数帯域の異なるキャリアが発射されるリモコン装置１、例えば他の被操作装置に付随するリモコン装置を用いた場合においても、抽出部２−２において、信号を抽出できるため、キャリアの受光の有無の検出ができる。
上述したリモコン受光装置２において、他の被操作装置に付属するリモコン装置からキャリア周波数の異なるリモコン信号が受信された場合には、抽出部２−２において、光電変換部２−１からの電気信号から所定の周波数範囲の信号が抽出されるため、その抽出された信号に基づいて、表示部２−４によりキャリア信号の発射の有無を確認できる。さらに、光電変換部２−１からの電気信号は、キャリア判別部２−５においてＢＰＦ等、物理レベルで除去されるため操作は行われない。
【００２３】
また、他の被操作装置に付属するリモコン装置からキャリア周波数の等しいリモコン信号が受信された場合には、抽出部２−２において、光電変換部２−１からの電気信号から所定の周波数範囲の信号が抽出されるため、その抽出された信号に基づいて、表示部２−４によりキャリア信号の発射の有無を確認できる。さらに、光電変換部２−１からの電気信号から所定の周波数範囲の信号が抽出され、包絡線検波の後２値化された信号が第２駆動部２−６から出力されるが、デコーダ３０−１にてロジックレベルで除去されるため被操作装置３０の操作は行われない。
【００２４】
上述したリモコン受信装置２は、一般家庭内で最も頻繁にリモコン装置１の操作が行われる場所に配置するのが望ましい。例えば、テレビ受像器のリモコン装置受光回路の付属機能として、このリモコン受信装置２を内蔵することにより、家庭内の全てのリモコン装置１からの赤外光線の発光を確認できる。
上述した実施の形態においては、抽出部２−２を構成するＢＰＳとして、周波数ｆ０１、ｆ０２、ｆ０３、ｆ０４の４種類の周波数帯域の電気信号を包含するものを用いる場合について説明したが４種類に限定されるものではない。
【００２５】
また、実施の形態において、リモコン受光装置２は、被操作装置３０に内蔵された装置である場合について説明したが、被操作装置３０と別な装置であってもよい。また、光電変換部２−１、キャリア判別部２−５、第２駆動部２−６を被走査装置３０と一体型とし、抽出部２−２、第１駆動部２−３、表示部２−４を別な装置としてもよい。この場合、光電変換部２−１からの電気信号は、被操作装置３０の一部であるキャリア判別部２−５と被操作装置３０とは別な装置である抽出部２−２に入力される。
【００２６】
次に、他の実施の形態にかかるリモコン受光装置４を、図３を参照して説明する。
他の実施の形態にかかるリモコン受光装置４は、光電変換部４−１、キャリア判別部４−２、第３駆動部４−３、表示部４−４、第２駆動部４−５を備える。また、他の実施の形態においても、リモコン装置１は、上述した従来のリモコン装置１０と同様である。
【００２７】
このリモコン受光装置４において、光電変換部４−１、キャリア判別部４−２、表示部４−４、第２駆動部４−５は、それぞれ上述した実施の形態にかかる光電変換部２−１、キャリア判別部２−５、表示部２−４、第２駆動部２−６と同様である。
ここで、上述したように、キャリア判別部４−２は、光電変換部４−１により出力された電気信号から所定のキャリア周波数帯域の信号を選択的に抽出する。
【００２８】
第３駆動部４−３は、キャリア判別部４−２により抽出された所定のキャリア周波数帯域の信号の有無に基づき、表示部４−４に備えられたＬＥＤを点灯／消灯させる。したがって、リモコン装置からの信号光を受光すればＬＥＤが点灯する。
このように第３の駆動部４−３を構成することにより、被操作装置３０に対応するリモコン装置１と同一のキャリア周波数の信号を発射するリモコン装置からのキャリアの発射の確認ができる。
他の実施の形態にかかるリモコン受光装置４は、実施の形態にかかるリモコン受光装置２に比べて低価格で実現できる。また、このリモコン受光装置４は、採用されるキャリア周波数が１種類にほぼ集中している地域で使用する場合に適している。
【００２９】
また、他の実施の形態において、リモコン受光装置４は、被操作装置３０に内蔵された装置である場合について説明したが、被操作装置３０と別な装置であってもよい。また、光電変換部４−１、キャリア判別部４−２、第２駆動部４−５を被走査装置３０と一体型とし、第３駆動部４−３、表示部４−４を別な装置としてもよい。この場合、キャリア判別部４−２からの２値信号は、被操作装置３０の一部である第２駆動部４−５と被操作装置３０とは別な装置である第３駆動部４−３に入力される。
【００３０】
【発明の効果】
本発明のリモコン受光装置によれば、リモコン装置からのキャリアの発射の有無に応じて表示させることができるため、リモコン装置から発射された発光光線の有無を確認できる。
また、広い周波数範囲でのキャリア周波数に対応して、リモコン装置からのキャリアの有無に応じて表示させることができるため、被操作装置に付随したリモコン装置からのキャリアの発射の有無に加え、被操作装置とは異なる他の被操作装置に付随したリモコン装置からのキャリアの発射の有無を確認できる。
【図面の簡単な説明】
【図１】本発明の実施の形態にかかるリモコン受光装置を説明するためのブロック図である。
【図２】本発明の実施の形態にかかるリモコン受光装置におけるキャリア判別部のＢＰＦの選択域を説明するための選択度特性図である。
【図３】本発明の他の実施の形態にかかるリモコン受光装置を説明するためのブロック図である。
【図４】従来のリモコン受光装置を説明するためのブロック図である。
【図５】リモコン装置の送信信号の波形とリモコン受光装置におけるキャリア判別部の出力信号の関係を説明するためのタイミングチャートである。
【図６】リモコン受光装置における光電変換部からの出力信号を説明するための図である。
【符号の説明】
１、１０…リモコン装置、２、４、２０…リモコン受光装置、３０…被操作装置。
【図１】
2004274364.tif 000003
【図２】
2004274364.tif 000004
【図３】
2004274364.tif 000005
【図４】
2004274364.tif 000006
【図５】
2004274364.tif 000007
【図６】
2004274364.tif 000008